(57)【要約】【課題】本発明は折り畳み式に構成し全体をコンパクトにした為、嵩張らず屋内での取り扱い収納にも利便性があり、アウトドアー、トレーニング等にも手軽にバッグ等に入れて持参する事が可能な、筋肉トレーニング運動具に関するものである。【解決手段】先桿（１）と後桿（２）、左ハンドル（６）と右ハンドル（９）そして上腹当て板【４９】と下腹当て板（５０）に、それぞれ蝶番を用いて折り畳み式とし、かつ又パワーゴムも使用者の体力に応じて強度の調整が可能な構成である。【選択図】    図１０
2004223225.tif 000002
【特許請求の範囲】
【請求項１】
イ、先桿（１）と後桿（２）を蝶番（３）で接続し、左ハンドル（６）と右ハンドル（７）も蝶番（１７）（１８）で、スライド（１０）に接続され、かつ又上腹当て板（４９）と下腹当て板（５０）も蝶番（５１）（５２）で接続され、いずれも蝶番によって折り畳み式に構成されている。
ロ、パワーゴム（２３）（２４）（２５）（２６）は先桿先端とスライド（１０）に張り、両端のパワーゴム（２３）（２６）は先桿先端の固定ネヂ（３２）（３６）にて固定し、一方はスライド側固定ネヂ（２０）（２２）で固定、中央パワーゴム（２４（２５）は先端を脱着可能に設ける。
ハ、スライド（１０）には時計（１５）を設け、後桿（２）にはスケール（４８）を設ける、かつ又先桿（１）後桿（２）の接続固定にパッチン錠（４７）を設ける以上の構成からなる折り畳み式筋肉トレーニング運動具。
【発明の詳細な説明】
【０００１】
【発明の属する技術分野】
本発明はパワーゴム（２３）（２６）は両端を固定し、中央パワーゴム（２４）（２５）は先端を脱着可能にして、パワーゴムの強度を調整する事が出来る、先桿（１）と後桿（２）又左ハンドル（６）と右ハンドル（７）、そして上腹当て板（４９）と下腹当て板（５０）はそれぞれ折り畳み式に構成し、時計（１５）とスケール（４８）を読んで体力増進の成果を確認する、折り畳み式筋肉トレーニング運動具に関するものである。
【０００２】
【従来の技術】
筋肉を鍛えるトレーニングマーシンは規模の大きいものより小規模の物まで数多く市販されている、小規模のものは一般家庭にも広く使用されているが、大規模のものは主としてスポーツ選手がスポーツセンター等で使用しているのが現状である、本発明は折り畳み式に構成し格納場所を取らず手軽に使用出来る作品とした。
【０００３】
【発明が解決しようとする課題】
従来販売されている同種の製品は、本発明の先桿（１）後桿（２）に該当する一本の桿に十字型にハンドルを設け、これに一條のパワーゴムを設けた簡単な構成である、従ってパワーゴム強弱の調整機能もなく、時計やスケール等の記録装置も無い、かつ又嵩張る為収納にも場所をとり、持ち運びも容易ではない、本発明は以上の欠点を解決する  為になされたものである。
十
【０００４】
【課題を解決する為の手段】
イ、先稈（１）と後桿（２）を蝶番（３）で接続し、左ハンドル（６）と右ハンドル（７）も蝶番（１７）（１８）でスライド（１０）と接続、この接続部には当たり面の摩耗を防止する為、それぞれ当て金（４）（５）（８）（９）（１１）（１２）を設ける、かつ又上、下腹当て板（４９）（５０）も蝶番（５１）（５２）によって接続されている。
ロ、パワーゴム（２３）（２６）は先端部（３１）（３５）スライド側（２０）（２２）の両端を固定するが、中央パワーゴム（２５）（２６）は先端部（３４）を脱着してパワーゴムの強度を調整する事が可能である。
ハ、先桿（１）と後桿（２）の左右両側面にはスライド溝（４６）を設け、かつ又先桿（１）と後桿（２）を一直線に固定する為、パッチン錠（４７）を設ける。
ニ、スライド（１０）の上面に時計（１５）を設け、後桿（２）の上面にスケール（４８）を設けた。
ホ、先桿（１）と後桿（２）の折り曲げ接着面にマジックテープ（５４）（５５）を設け、かつ又左ハンドル（６）と右ハンドル（７）の先端にマジックテープ（５６）（５７）を設けて、不必要な時に不意に開かないようにした、、以上の構成からなる筋肉トレーニング運動具。
【０００５】
【発明の実施の形態】
イ、本発明の実施の形態を述べる、折り畳んだ状態より説明すると、先ず左右ハンドル（６）（７）の先端を接着しているマジックテープ（５６）（５７）を外して左右ハンドル（６）（７）を広げる、しかる後、重なっている先桿（１）と後桿（２）を分離して延ばし、パッチン錠（４７）にて施錠すると先桿（１）と後桿（２）は一直線に固定される、かつ又、上下腹当て板（４９）（５０）も蝶番より延ばし板面を広くする。
ロ、中央パワーゴム（２４）（２５）の先端部（３４）は脱着してパワーゴムの強度調整が可能となっているため、使用者の体力に応じて任意に調整する事が可能である。
ハ、上下腹当て板（４９）（５０）を腹部に当て左右ハンドル（６）（７）を両手で握り、引き寄せる動作を体の調子に適合するように行う、その場合、時計（１５）とスケール（４８）を読んで確認し体力増進の目安とする。
【０００６】
【発明の効果】
本発明を継続釣に使用する事により上半身の筋肉発達に効果があり、スポーツの基礎体力増進に一般人の健康管理に、又は虚弱体質改善に大いに寄与する可能である、又折り畳むとコンパクトで嵩張らない為、屋内の収納も容易でありアウトドアーのトレーニングなどにも手軽に持参する事が可能である。
【図面の簡単な説明】
【図１】本発明の平面図
【図２】本発明の背面図
【図３】本発明の左右側面図
【図４】本発明の前面図
【図５】本発明後面図
【図６】本発明のスライド部、左側面拡大図
【図７】本発明のスライド部、前面拡大図
【図８】本発明の先桿先端拡大図
【図９】中央パワーゴム先端左側面拡大図
【図１０】本発明の斜視図
【符号の説明】
１    先桿
２    後桿
３    蝶番
３Ａ  蝶番固定ネジ
４    先桿側当て金
５    後桿側当て金
６    左ハンドル
７    右ハンドル
８    左ハンドル側当て金
９    右ハンドル側当て金
１０    スライド
１１    スライド側左当て金
１２    スライド側右当て金
１３    スライド左脚
１３Ａ  スライド左脚固定ネジ
１４    スライド右脚
１４Ａ  スライド右脚固定ネジ
１５    時計
１６    時計抑え
１６Ａ  時計抑え固定ネジ
１７    左ハンドル蝶番
１８    右ハンドル蝶番
１９    スライド側パワーゴム抑え板
２０    スライド側右パワーゴム抑え固定ネジ
２１    スライド側中央パワーゴム抑え固定ネジ
２２    スライド側左パワーゴム抑え固定ネジ
２３    左パワーゴム
２４    中央パワーゴム上
２５    中央パワーゴム下
２６    右パワーゴム
２７    スライド側左パワーゴム、ゴムワッシャー
２８    スライド側右パワーゴム、ゴムワッシャー
２９    スライド側パワーゴムベース板
３１    右パワーゴム先端抑えワッシャー
３２    右パワーゴム先端固定ネジ
３３    中央パワーゴム先端固定ワツッシャー
３４    中央パワーゴム先端固定ネジ
３５    左パワーゴム先端抑えワッシャー
３６    左パワーゴム先端固定ネジ
３７    中央パワーゴム先端固定ボルト
３８    中央パワーゴム先端固定ボルト締め付けナット
３９    先桿先端パワーゴムベース板
４０    上中央パワーゴム上先端金具
４１    上中央パワーゴム下先端金具
４２    上中央パワーゴム先端上下金具狭固定鋲
４３    下中央パワーゴム上先端金具
４４    下中央パワーゴム下先端金具
４５    下中央パワーゴム先端上下金具狭固定鋲
４６    スライド溝
４７    パッチン錠
４８    スケール
４９    上腹当て板
５０    下腹当て板
５１    腹当て板
５１Ａ  腹当て板左蝶番固定ネジ
５２    腹当て板右蝶番
【図１】
2004223225.tif 000003
【図２】
2004223225.tif 000004
【図３】
2004223225.tif 000005
【図４】
2004223225.tif 000006
【図５】
2004223225.tif 000007
【図６】
2004223225.tif 000008
【図７】
2004223225.tif 000009
【図８】
2004223225.tif 000010
【図９】
2004223225.tif 000011
【図１０】
2004223225.tif 000012